(57)【要約】【課題】  歩行性を向上し異物等による排水流路の詰まり発生を抑制する排水部を有し、生産性や保守性の向上を図る。【解決手段】  側溝ブロック７や側溝蓋１０に一体化された保持ブロック部材２０に形成した透水ブロック組込み凹部２２に、鉄筋２６を芯材にして礫体２７を合成樹脂接着剤２８によって結合して所定の形状に成形してなる透水ブロック部材２１を着脱自在に組み合わせ、この透水ブロック部材２１を介して路上に降った雨水等を礫体２７間の隙間を介して排水流路８内に排水する。【選択図】  図３
2006132099.tif 000002
【特許請求の範囲】
【請求項１】
内部に排水流路を構成する側溝ブロックやこの側溝ブロックの開口部に組み合わされる側溝蓋に設けられ、路上からの上記排水流路内への排水を行う排水装置において、
上記側溝ブロックや上記側溝蓋に形成した排水開口部に一体化され、底部に上記排水流路に連通する排水孔を設けた透水ブロック組込み凹部が形成された保持ブロック部材と、
少なくとも上記透水ブロック組込み凹部の長手方向の全長に亘る長さを有する鉄筋を芯材として礫体を合成樹脂接着剤によって固めて上記透水ブロック組込み凹部の内部空間形状と略同形に成形した多孔性の透水ブロック部材とから構成され、
上記透水ブロック部材が、上記保持ブロック部材の上記透水ブロック組込み凹部に対して着脱自在とされ、装填状態において上記礫体間の隙間を通して排水を行う透水部を構成することを特徴とする側溝の排水装置。
【請求項２】
上記保持ブロック部材が、硬質微粒物からなる骨材と、結合材としてセメントと合成樹脂接着剤とを混合したレジンコンクリートによって成形され、開口縁を上記側溝ブロックの主面と略同一面を構成するようにして上記側溝ブロックや上記側溝蓋の上記排水開口部に一体化されることを特徴とする請求項１に記載の側溝の排水装置。
【請求項３】
内部に排水流路を構成する側溝ブロックの開口部に組み合わされて路上からの上記排水流路内への排水を行う排水装置において、
上記側溝ブロックの開口部を閉塞して組み合わされることによって側溝蓋を構成し、底部に上記排水流路に連通する排水孔を設けた透水ブロック組込み凹部が形成された保持ブロック部材と、
少なくとも上記透水ブロック組込み凹部の長手方向の全長に亘る長さを有する鉄筋を芯材として礫体を合成樹脂接着剤によって固めて上記透水ブロック組込み凹部の内部空間形状と略同形に成形した多孔性の透水ブロック部材とから構成され、
上記透水ブロック部材が、上記保持ブロック部材の上記透水ブロック組込み凹部に対して着脱自在とされ、装填状態において上記礫体間の隙間を通して排水を行う透水部を構成することを特徴とする側溝の排水装置。
【発明の詳細な説明】
【技術分野】
【０００１】
本発明は、内部に排水流路を構成する側溝ブロックに組み合わされ、透水部を介して路上等から上記排水流路内への排水を行う側溝の排水装置に関する。
【背景技術】
【０００２】
例えば、道路等には、路上に降った雨水等を排水するために、路肩に沿って側溝装置が敷設される。側溝装置は、一般にＵ字溝ブロック体と、その開口部を覆って組み合わされる蓋体とから構成され、蓋体に路面から内部の排水流路へ排水を行う適宜の排水部が設けられる。また、側溝装置としては、Ｕ字溝ブロック体と蓋体とが一体に形成され、内部に暗渠の排水流路を構成した側溝装置も提供されている。暗渠型側溝装置は、所定の間隔を以って天井部位に排水流路を清掃するための開口部が形成されており、この開口部に排水流路を閉塞する蓋体が組み合わされる（例えば、特許文献１参照）。
【０００３】
従来の側溝装置は、例えばステンレス等の耐腐食性の大きい金属材を格子状に組んだグレーチングを蓋体や天井部に設けた開口部に組み付けて排水部を構成している。側溝装置は、かかるグレーチングがハイヒールの踵を嵌め込ませたり滑り易くすることにより歩行性を低下させ、また比較的大きな異物を落下させて排水流路を詰まらせ、また車両等の通行時に騒音が発生するといった問題があった。
【０００４】
側溝装置においては、蓋体に形成した排水孔内に比較的粒径の大きな骨材をエポキシ系樹脂やウレタン系樹脂等の合成樹脂接着剤によって固めたいわゆるレジン充填材を一体に充填して排水部を構成することにより、上述したグレーチングの問題を解決した側溝装置も提供されている（例えば、特許文献２及び特許文献３を参照）。かかる側溝装置は、排水部のレジン充填材が骨材間に多数の隙間が存在することで多孔性を有しており、Ｕ字溝ブロック体内の排水流路へと排水が行われるようにする。側溝装置は、排水孔の表面を覆うことによって歩行性が向上されるとともに、土、泥或いは枯葉等の異物によって排水流路に詰まりが生じることを防止し、さらに排水流路が詰まって生じた水たまりから蚊が発生することを防止する。
【０００５】
【特許文献１】特開平７−１０２６２３号公報
【特許文献２】特開平５−１７９９２号公報
【特許文献３】特開平６−１９３１２４号公報
【発明の開示】
【発明が解決しようとする課題】
【０００６】
ところで、従来のレジン充填材を有する蓋体においては、比較的長期間の使用によってレジン充填材の内部に構成された隙間に微細な砂礫等が詰まったり枯葉が覆うことにより排水性が低下し、上述した所定の機能が奏し得なくなるといった問題があった。また、蓋体においては、合成樹脂接着剤の結合力が経時劣化することによって骨材に欠けや脱落等が発生しやすいといった問題があった。蓋体においては、このためにレジン充填材を一体化した蓋体全体を交換することによりその対応を図るようにしているが、比較的高価であるために費用負担も大きくなるとともに重量も大きいために作業効率も悪いといった問題があった。上述した問題は、蓋体を一体化した暗渠型の側溝ブロックにおいて一層顕著であり、レジン充填材の目詰まりの対応として側溝ブロック全体を掘り起こして交換する大規模な工事を実施しなければならない。
【０００７】
また、蓋体においては、枠体にレジン充填材を一体化する成形工程を施した後に、枠体を位置決めして組み合わせた成形型枠にコンクリートを打設して全体の成形が行われる。蓋体は、コンクリートを打設した後にコンクリート回りの向上や硬化促進を図るために加圧処理を施し、またレジンコンクリートを用いる場合に加熱処理が施されるが、これらの処理によって樹脂材の軟化や接合力の低下によって骨材がばらけて脱落し生産効率や歩留まりが悪いといった問題があった。また、蓋体は、成形時にレジン充填材に露出する骨材が圧接することによって型枠内面に傷付を生じさせ、次サイクルの成形品の表面の仕上がり精度を悪くさせるといった問題があった。
【０００８】
ところで、最近では、それぞれの市町村において特徴ある独自の町作り運動が進められており、例えば道路に沿った街路樹や花壇等の設置或いは道路や歩道のカラー化等が推進されている。側溝装置は、道路等の路肩に沿って全域に亘って敷設される施設であり、道路の景観を構成する重要な施設として位置付けすることも可能でもある。しかしながら、側溝装置は、従来上述した排水機能を達成することを目的として種々の改良が図られているものの、道路の景観機能については全く着目されていなかった。
【０００９】
したがって、本発明は、歩行性を向上し異物等による排水流路の詰まり発生を抑制する排水部を排水孔にレジン充填材を充填してなる従来の排水装置の問題点を解決し、生産性や保守性の向上を図った側溝の排水装置を提供することを目的に提案されたものである。
【課題を解決するための手段】
【００１０】
上述した目的を達成する本発明にかかる側溝の排水装置は、内部に排水流路を構成する側溝ブロックやこの側溝ブロックの開口部に組み合わされる側溝蓋に設けられて、路上から雨水等を排水流路内へと排水する。側溝の排水装置は、側溝ブロックや側溝蓋に形成した排水開口部に一体化され底部に排水流路に連通する排水孔を設けた透水ブロック組込み凹部が形成された保持ブロック部材と、少なくとも透水ブロック組込み凹部の長手方向の全長に亘る長さを有する鉄筋を芯材として外径がやや大きな例えば小石やガラス玉等の礫体を合成樹脂接着剤によって固めて透水ブロック組込み凹部と略同形に成形した多孔性の透水ブロック部材とから構成される。
【００１１】
側溝の排水装置は、保持ブロック部材が、硬質微粒物からなる骨材と、結合剤としてセメントと合成樹脂接着剤とを混合したレジンコンクリートによって成形され、開口縁を側溝ブロックの主面と略同一面を構成するようにして側溝ブロックや側溝蓋の上記排水開口部に一体化される。
【００１２】
側溝の排水装置は、側溝ブロックの開口部を閉塞して組み合わされることによって側溝蓋を構成し底部に排水流路に連通する排水孔を設けた透水ブロック組込み凹部が形成された保持ブロック部材と、少なくとも透水ブロック組込み凹部の長手方向の全長に亘る長さを有する鉄筋を芯材として礫体を合成樹脂接着剤によって固めて透水ブロック組込み凹部の内部空間形状と略同形に成形した多孔性の透水ブロック部材とから構成される。
【００１３】
側溝の排水装置においては、透水ブロック部材が、保持ブロック部材の透水ブロック組込み凹部に対して着脱自在とされる。側溝の排水装置においては、透水ブロック部材が、道路等の路肩に沿って敷設された側溝ブロックや側溝蓋に一体化された保持ブロック部材に形成した透水ブロック組込み凹部内に装填される。側溝の排水装置においては、透水ブロック部材が合成樹脂接着剤によって固められた各礫体間に多数の隙間が形成されることによって多孔性とされ、側溝表面に開口部を構成すること無く路上に降った雨水等をこれら間隙から透水して側溝ブロック内の排水流路内に排水する。
【００１４】
側溝の排水装置においては、透水ブロック部材が、鉄筋を芯材とすることによって充分な強度を有しており、礫体の脱落等による損傷の発生が抑制される。側溝の排水装置においては、透水ブロック部材に目詰まりが生じて排水特性が著しく低下した場合でも、この透水ブロック部材のみを枠体から取り外して交換等の対応を行うことが可能であり簡易な対応によって透水特性の回復が図られる。側溝の排水装置においては、透水ブロック部材が別部材とされることによって側溝ブロックを成形する成型枠体の損傷が抑制され、表面精度が良好な側溝ブロックを繰り返し成形して効率化が図られるようにする。側溝の排水装置においては、適宜に着色等を施した透水ブロック部材を用いることによって特徴的な道路景観を創成することを可能とする。
【発明の効果】
【００１５】
以上のように構成された本発明にかかる側溝の排水装置によれば、側溝ブロックや側溝蓋に一体化された保持ブロック部材に対して鉄筋を芯材にして礫体を合成樹脂接着剤によって結合して所定の形状に成形してなる別部材の透水ブロック部材を着脱自在に組み合わせ、路上に降った雨水等を礫体間の隙間を介して排水流路内に排水する排水部を構成したことから、側溝表面に開口部が無く歩行者等に対する歩行性を向上させるとともに異物等の流入を防止して排水流路の詰まり発生を抑制する。側溝の排水装置によれば、長期間の使用によって透水ブロック部材に目詰まりや破損等が生じることがあっても、この透水ブロック部材のみを保持ブロック部材から取り外して清掃或いは交換等を行うことが可能であり、簡易な作業と廉価な対応によって排水特性等の所定の機能が回復されることで保守性の向上が図られるようになる。側溝の排水装置によれば、側溝ブロックや側溝蓋と別工程で形成されるために、これらを成形する成形枠体のキャビティ面に礫体が擦れて損傷を生じさせることは無く生産性を向上させてコスト低減が図られるようにする。また、側溝の排水装置によれば、側溝ブロックや側溝蓋の成形時に透水ブロック部材の合成樹脂接着剤が溶け出して礫体がばらけるといったことも無い。
【発明を実施するための最良の形態】
【００１６】
以下、本発明の実施の形態として図面に示した排水装置１について詳細に説明する。排水装置１は、図１及び図２に示すように、例えば車道２と歩道３とを区分する路肩部位に設置された縁石ブロック４に沿って敷設された側溝５に設けられる。側溝５は、縁石ブロック４に沿って掘削された敷設溝６内に所定の勾配を付して長さ方向に並べて設置され内部に排水流路８が形成された側溝ブロック７と、側溝ブロック７の天井部７ａに形成された開口部９を閉塞して組み合わされる側溝蓋１０とによって構成される。
【００１７】
なお、排水装置１は、詳細を後述するように、具体的には側溝ブロック７の天井部７ａや側溝蓋１０に適宜の間隔を以って設けられる。側溝５は、側溝ブロック７が断面略Ｕ字状のと側溝蓋１０とが一体化されて内部に暗渠の排水流路を構成するものであってもよく、この場合に側溝蓋１０に排水装置１が設けられる。
【００１８】
側溝５は、施工の具体例として、例えば図２に示すように車道２に沿って所定の深さに掘削した敷設溝６の底部に基礎砕石を投入して転圧することにより基礎層１１を形成し、この基礎層１１上にコンクリートを打設して基礎コンクリート層１２を形成し、この基礎コンクリート層１２上に調整モルタル層１３を介して側溝ブロック７が設置される。側溝ブロック７は、調整モルタル層１３によって勾配等を調整され、長さ方向に並べられて敷設溝６内に設置される。なお、側溝５は、かかる施工例に限定されず、従来実施されている適宜の施工方法によって設置されることは勿論である。
【００１９】
側溝ブロック７は、プレキャストコンクリート製品として工場において製造され、トラック等によって現場に搬入されて上述した敷設溝６内に設置される。側溝ブロック７は、図１及び図２に示すように、底面部７ｂと、この底面部７ｂから相対して一体に立ち上がり形成された側面部７ｃ、７ｄと、これら側面部７ｃ、７ｄから連設される天井部７ａとからなる横長矩形の四角筒状を呈して成形され、上述したように内部に暗渠の排水流路８が長さ方向の全長に亘って形成されている。
【００２０】
側溝ブロック７には、天井部７ａに上述した開口部９とともに、この開口部９を挟んで第１排水開口部１４ａと、第２排水開口部１４ｂとが形成されている。なお、側溝５には、側溝蓋１０にも、第１排水開口部１４ａと第２排水開口部１４ｂとに対して側溝ブロック７に組み合わされた状態で略同一軸線上に位置する第３排水開口部１４ｃと第４排水開口部１４ｄとが形成されている。これら第１排水開口部１４ａ乃至第４排水開口部１４ｄは、それぞれ詳細を後述するように同一の構成を以って側溝ブロック７或いは側溝蓋１０に形成されて第１排水装置１ａ乃至第４排水装置１ｄが設けられる。第１排水開口部１４ａ乃至第４排水開口部１４ｄについては、特に個別に説明する場合を除いて排水開口部１４と総称する。
【００２１】
側溝ブロック７には、天井部７ａの表面に滑止め層１５が形成されている。滑止め層１５は、天井部７ａの表面に例えば高さが約１ｍｍ乃至２ｍｍ程度の微小な円錐形凸部を相互の間隔を約１ｃｍ乃至２ｃｍを以って形成してなる。滑止め層１５は、かかる形状によって、側溝ブロック７の表面が湿った状態であっても滑り抵抗値が４０ＢＰＮ以上とされて滑り難く、排水性が良く、歩行者に違和感を与えず、車椅子等もスムーズに走行を可能とさせ、車のヘッドライトの照射に対する乱反射も低減させる。
【００２２】
開口部９は、天井部７ａの長さ領域の中央部に位置して排水流路８に大きく開口する横長矩形の開口部からなる。開口部９には、図２に示すように相対する側面壁の内面に、側溝蓋１０の厚みとほぼ同一の高さ位置に受け段部１６ａ、１６ｂが形成され、これら受け段部１６ａ、１６ｂによって側溝蓋１０の側縁底部を支える。
【００２３】
なお、側溝ブロック７は、例えば天井部７ａが長さ約２０００ｍｍ、幅約４２０ｍｍの大きさの外形寸法を以って形成される場合に、開口部９が長さ約１０００ｍｍ、幅が約３００ｍｍに形成される。側溝ブロック７は、天井部７ａに、開口部９の両側に位置してそれぞれ長さが約５００ｍｍの第１暗渠領域部１７ａと第２暗渠領域部１７ｂとを構成し、これら第１暗渠領域部１７ａと第２暗渠領域部１７ｂとに上述した第１排水開口部１４ａと第２排水開口部１４ｂとを形成する。
【００２４】
側溝ブロック７には、長手方向の両端面にそれぞれ嵌合凹部１８が形成されている。嵌合凹部１８は、図１に示すように側溝ブロック７の両端面に開口された排水流路８を取り巻く略四角形の凹部からなり、図示を省略するが一方端面側にはゴム等の弾性材により四角枠状に成形された図示しないパッキン材がはめ込まれる。嵌合凹部１８は、パッキン材の厚みよりも小さい深さとされ、はめ込まれたパッキン材を全域に亘って端面から突き出させる。側溝５は、側溝ブロック５ａ側に設けたパッキン材が隣り合う側溝ブロック５ｂ側の嵌合凹部１８内に嵌合させて組み合わすことにより、側溝ブロック５の結合部位での水漏れが防止される。
【００２５】
側溝ブロック７には、敷設溝６に設置された状態で開口部９を閉塞するようにして側溝蓋１０が組み合わされる。側溝蓋１０は、例えば排水流路８内の清掃等を行う場合に、開口部９から取り外され、排水流路８を外方に臨ませる。側溝蓋１０は、開口部９の開口寸法とほぼ同等の外形寸法を有して形成されており、開口部９に落とし込まれることによって側縁底部を受け段部１６上に支えられる。側溝蓋１０にも、上述したように長さ方向に並んで第３排水開口部１４ｃと第４排水開口部１４ｄとが形成されている。側溝蓋１０には、開口部９に組み合わされた状態において、その表面が側溝ブロック７の表面と略同一面を構成する。側溝蓋１０には、表面に、側溝ブロック７側の上述した滑止め層１５と同等の滑止め層１０ａが形成されている。
【００２６】
各排水開口部１４は、それぞれ長さが約３７０ｍｍ、幅が約５３ｍｍの開口寸法を有して排水流路８に開口する横長矩形の開口部として側溝ブロック７の天井部７ａ或いは側溝蓋１０に形成される。各排水開口部１４には、図２に示すように相対する側面壁の内面に後述する排水装置１を構成する保持ブロック部材２０の厚みとほぼ同一高さ位置に受け段部１９ａ、１９ｂ（以下、受け段部１９と総称する。）が形成される。各排水開口部１４は、これら受け段部１９によって保持ブロック部材２０を、その底部の両側縁を支えかつ上端面を側溝ブロック７或いは側溝蓋１０の表面と略同一面を構成するようにして一体化する。各排水開口部１４は、保持ブロック部材２０によって開口縁が縁ち取られる。
【００２７】
排水装置１は、図３及び図４に示すように側溝ブロック７や側溝蓋１０の各排水開口部１４内に一体化される保持ブロック部材２０と、この保持ブロック部材２０に着脱自在に組み合わされる透水ブロック部材２１とによって構成される。保持ブロック部材２０は、骨材とセメントと合成樹脂接着剤とを混合したいわゆるレジンコンクリートによって成形される。
【００２８】
保持ブロック部材２０は、骨材として例えば天然石やその砕土、セラミック粒体、ガラス粒体等の硬質微粒物が用いられるとともにセメントと合成樹脂接着剤とを結合材として成形される。保持ブロック部材２０には、合成樹脂接着剤としてレジンコンクリートに従来一般に用いられている、エポキシ系樹脂、ウレタン系樹脂、ポリエステル系樹脂等が用いられる。なお、保持ブロック部材２０は、側溝ブロック７や側溝蓋１０と異なる色調の硬質微粒物を混合することにより、排水開口部１４の縁ち取りがより強調されるようにしてもよい。
【００２９】
保持ブロック部材２０は、所定形状のキャビティを有する成形枠体が用いられ、この成形枠体内に上述した骨材とセメント及び合成樹脂接着剤をよく撹拌した材料を投入した後に、合成樹脂接着剤を溶融硬化させる温度以上に加熱することによって成形する。保持ブロック部材２０は、成形枠体から取り出した後に、側溝ブロック７や側溝蓋１０を成形する成形枠体内に位置決めして設置される。保持ブロック部材２０は、成形枠体内にコンクリート材料を打設し、所定の養生期間を経て成形枠体から取り出される側溝ブロック７や側溝蓋１０の受け段部１９に支持されて各排水開口部１４に上述した構成を以って一体化される。
【００３０】
保持ブロック部材２０は、排水開口部１４の開口寸法と同等の外形寸法と受け段部１９の高さと等しい厚みを有して、図４に示すように全体横長矩形のブロック状を呈して形成される。保持ブロック部材２０には、上面に横長矩形の形状を以って開口する透水ブロック組込み凹部２２が形成されるとともに、この透水ブロック組込み凹部２２の底部２２ａを貫通して第１排水孔２３ａ乃至第３排水孔２３ｃ（以下、個別に説明する場合を除いて排水孔２３と総称する。）が形成されている。保持ブロック部材２０には、上面に長さ方向の両端から透水ブロック組込み凹部２２にそれぞれ連通して透水ブロック部材取外しガイド溝２４ａ、２４ｂ（以下、個別に説明する場合を除いて透水ブロック部材取外しガイド溝２４と総称する。）が形成されている。
【００３１】
透水ブロック部材２１は、図３乃至図６に示すように、基体部位が透水ブロック組込み凹部２２とほぼ同等の外形寸法を有する横長矩形のブロック状を呈している。透水ブロック部材２１には、基体部位の底面部に長さ方向に並んで第１透水部２５ａ乃至第３透水部２５ｃ（以下、個別に説明する場合を除いて透水部２５と総称する。）がそれぞれ一体に突出して形成されている。透水ブロック部材２１は、後述するように透水ブロック組込み凹部２２内に装填された状態において、各透水部２５が相対する排水孔２３内にそれぞれ嵌合する。
【００３２】
透水ブロック部材２１は、鉄筋２６を芯材とし、この鉄筋２６に礫体２７を合成樹脂接着剤２８（図３乃至図４において網線で示した部位）を結合材として用いて固めて上述した形状に形成される。透水ブロック部材２１には、透水ブロック組込み凹部２２の長さ方向の全長に亘る長さを有する鉄筋２６が用いられる。透水ブロック部材２１には、礫体２７としてやや大きな外径を有する小石等の自然石、セラミック玉、ガラス玉等が用いられる。透水ブロック部材２１には、合成樹脂接着剤２８として、例えば三井武田ケミカル製舗装材用ポリウレタン樹脂「タケネートＦ７０３Ｎ」が好適に用いられる。同ポリウレタン樹脂は、淡黄色透明液体で、粘度が２４００ｍＰａ・ｓ／２５℃、比重が１．０６の特性を有する。透水ブロック部材２１は、かかる合成樹脂接着剤２８を用いることによって着色された礫体２７の色調を損なうことなく保持することが可能である。
【００３３】
透水ブロック部材２１の成形工程は、上述した外形形状に対応する空間形状のキャビティを有する成形枠体が用いられ、この成形枠体内に上述した鉄筋２６を位置決めして設置する工程と、成形枠体内に合成樹脂接着剤２８をからませた礫体２７を投入する工程と、礫体２７を転圧した後に合成樹脂接着剤２８を加熱して硬化させる温度以上に加熱する工程等を経て成形される。
【００３４】
透水ブロック部材２１は、各礫体２７がそれぞれの間に適宜の間隙を構成して合成樹脂接着剤２８によって相互に結合されることにより、各隙間を介して内部を排水が流れる多孔性とされて成形される。透水ブロック部材２１は、図５及び図６に示すように基体部位の底面に全長に亘って鉄筋２６が配置されており、この鉄筋２６を覆うようにして各統帥部２４が一体に形成されることによって充分な機械的強度を有するとともに鉄筋２６の脱落も防止される。
【００３５】
以上のように構成された透水ブロック部材２１は、図２及び図３に示すように側溝ブロック７や側溝蓋１０に一体化された各保持ブロック部材２０の透水ブロック組込み凹部２２内に装填される。透水ブロック部材２１は、各透水部２４が相対する透水ブロック組込み凹部２２の排水開口部１４内に嵌合する。なお、透水ブロック部材２１は、排水開口部１４内に嵌合した透水部２４によって、透水ブロック組込み凹部２２内において移動を阻止されるが、例えば透水ブロック組込み凹部２２の底部２２ａに接着剤を塗布することによって、さらに強固に組み込まれるようにしてもよい。
【００３６】
透水ブロック部材２１は、上述したように側溝ブロック７や側溝蓋１０と別部材によって形成され、後工程で透水ブロック組込み凹部２２内に装填される。したがって、透水ブロック部材２１は、保持ブロック部材２１を一体化する側溝ブロック７や側溝蓋１０の成形時に施される加熱処理によって合成樹脂接着剤２８が溶け出して礫体２７がばらけてしまうことは無い。
【００３７】
以上のように構成された排水装置１を備える側溝５においては、それぞれ側溝蓋１０を組み合わせた多数個の側溝ブロック７が道路の路肩等に沿って掘削された敷設溝６内に順次並べて設置されることにより、暗渠の排水流路８を構成して、歩行者の落下や車両の脱輪等の発生を確実に防止する。側溝５においては、側溝ブロック７と側溝蓋１０との表面にそれぞれ段差の無い滑止め層１５が形成されることによって、歩行者が靴を引っ掛けること無くバリアフリー態様を構成して安全に歩行することを可能とする。側溝５においては、各側溝ブロック７の暗渠領域部１７と側溝蓋１０とに複数の排水装置１を同一直線上に位置して設けたことにより、あたかも路肩部分を縁取る印象を感じさせることで、直線性の印象を強調して道路の景観を向上させるとともに独自な雰囲気作りを行うことを可能とする。
【００３８】
側溝５においては、路面に開口部位を有しない構造であることから、開口部に歩行者がつまずいたり踵を嵌め込ませるといった事態の発生を防止して安全性の向上が図られるようにする。側溝５においては、開口部を介して側溝ブロック７の排水流路８内への土砂や大きな異物の流入を防止することで、排水流路８の詰まりの発生を抑制する。
【００３９】
側溝５においては、排水装置１を構成する透水ブロック部材２１が合成樹脂接着剤２８に結合された各礫体２７間に多数の隙間が形成されて多孔性とされることで、路上に降った雨水等をこれら間隙から透水する。側溝５においては、透水ブロック部材２１内を透水された雨水等が基体部位から透水部２５に導かれて保持ブロック部材２０に形成した排水孔２３から側溝ブロック４の排水流路８内へと効率的に排水する。
【００４０】
側溝５においては、排水装置１が、長年の使用によって透水ブロック部材２１内の各礫体２７間に構成された隙間に土砂が詰まって目詰まりが生じ、排水特性が低下することがある。また、側溝５においては、排水装置１が、長年の使用によって合成樹脂接着剤２８の接着力が低下したり大きな衝撃が加えられることによって、各礫体２７間に割れ等を生じさせることがある。側溝５においては、例えば透水ブロック取外しガイド溝２４から適宜の治具をねじ込んで透水ブロック組込み凹部２２内から透水ブロック部材２１を持ち上げて、この透水ブロック部材２１を保持ブロック部材２０から簡単に取り外すことが可能である。側溝５においては、敷設溝６から側溝ブロック７を掘り起こして全体を交換するといった大規模な工事を不要として低廉な透水ブロック部材２１のみを交換すればよく、保守対応の大幅な合理化が図られる。
【００４１】
上述した実施の形態においては、側溝ブロック７や側溝蓋１０の上面に複数の排水装置１を設置するようにしたが、かかる適用例に限定されるものでは無い。排水装置１は、例えば側溝ブロック７の車道２側の側面或いは歩道３側の側面に車道面や歩道面と略同一の高さ位置に排水開口部を形成し、この排水開口部に組み付けるようにしてもよい。
【００４２】
第２の実施の形態として図７に示した排水装置３０は、それ自体が例えばＵ字溝ブロック３１の開口部３１ａを閉塞して組み合わされる側溝蓋を構成する。排水装置３０は、保持ブロック部材３２と、この保持ブロック部材３２に形成した透水ブロック組込み凹部３３に対して着脱自在に組み合わされる透水ブロック部材３４からなる基本的な構成を上述した排水装置１と同様とする。したがって、以下の説明では、特徴的な部位にのみ新規な符号を付し、その他の部位には排水装置１と同一符号を付して説明を省略する。
【００４３】
保持ブロック部材３２は、上述した保持ブロック部材２０と同様にレジンコンクリートによってＵ字溝ブロック３１の開口部３１ａを閉塞するに足る外形寸法を以って一体に成形され、開口部３１ａから段落ちして形成された受け段部３５上に底面の側縁部を支持されて組み合わされる。保持ブロック部材３２には、上面に横長矩形の形状を以って開口する透水ブロック組込み凹部３３が形成されるとともに、この透水ブロック組込み凹部３３の底部を貫通してやや大きな開口寸法を有する排水孔３５が形成されている。
【００４４】
保持ブロック部材３２には、透水ブロック組込み凹部３３内に透水ブロック部材３４が装填される。透水ブロック部材３４は、基体部位が透水ブロック組込み凹部３３とほぼ同等の外形寸法を有する横長矩形のブロック状を呈している。透水ブロック部材３４には、基体部位の底面部に透水部３６が一体に突出して形成されている。透水ブロック部材３２は、保持ブロック部材３２に対して透水部３６を排水孔３５に嵌合して透水ブロック組込み凹部３３内に装填される。なお、保持ブロック部材３２には、上面に上述した側溝ブロック７や側溝蓋１０に形成した滑止め層１５を形成するようにしてもよい。
【００４５】
透水ブロック部材３４は、側溝蓋を構成する大型寸法の保持ブロック部材３２に形成された透水ブロック組込み凹部３３に装填されることから、上述した透水ブロック部材２１と比べて大きな面積を有して形成される。したがって、透水ブロック部材３４は、複数本の縦筋３７と、これら縦筋３７を所定の間隔を以って互いに連結する複数本の横筋３８とを芯材とし、これら縦筋３７と横筋３８に礫体２７を合成樹脂接着剤２８を結合材として用いて固めて成形される。透水ブロック部材３４は、かかる構成によって、比較的大きな面積を有していても、充分な機械的強度が保持されるようになり、割れ等が生じることは無い。
【００４６】
なお、透水ブロック部材３４は、必要に応じて縦筋３７と横筋３８とを多層に配列して成形するようにしてもよい。また、透水ブロック部材３４は、上述した第１実施例の側溝蓋１０に代えて用いられる場合には、複数本の縦筋３７のみによって芯材を構成するようにしてもよい。透水ブロック体３４は、このように複数本の縦筋３７や横筋３８を有する場合に、これら各縦筋３７や横筋３８が基体部位の表面に露出しないようにして配置し、透水ブロック組込み凹部３３内に安定した状態で組み合わされるようにするとともに合成樹脂接着剤２８によって被覆されて防錆性が保持されるようにする。
【図面の簡単な説明】
【００４７】
【図１】実施の形態として示した排水装置を備える側溝の要部斜視図である。
【図２】同側溝の要部縦断面図である。
【図３】同要部拡大縦断面図である。
【図４】排水装置の分解斜視図である。
【図５】排水装置に備えられる透水ブロック部材の要部底面図である。
【図６】同透水ブロック部材の要部側面図である。
【図７】第２の実施の形態として示した排水装置を備える側溝の一部切欠き平面図である。
【符号の説明】
【００４８】
１  排水装置、５  側溝、７  側溝ブロック、８  排水流路、９  開口部、１０  側溝蓋、１４  排水開口部、２０  保持ブロック部材、２１  透水ブロック部材、２２  透水ブロック組込み凹部、２３  排水孔、２５  透水部、２６  鉄筋、２７  礫体、２８  合成樹脂接着剤、３０  排水装置、３１  Ｕ字溝ブロック、３２  保持ブロック部材、３３  透水ブロック組込み凹部、３４  透水ブロック部材、３５  排水孔、３６  透水部、３７  縦筋、３８  横筋
【図１】
2006132099.tif 000003
【図２】
2006132099.tif 000004
【図３】
2006132099.tif 000005
【図４】
2006132099.tif 000006
【図５】
2006132099.tif 000007
【図６】
2006132099.tif 000008
【図７】
2006132099.tif 000009